(57)【要約】【課題】空調負荷軽減作用や、美観性低下の防止作用や、連通空間を幅狭にできると言った各作用を叶えながら、火災が上階層へ延焼し難くできるようにする。【解決手段】上下階にわたって連通する連通空間Ｖを挟む状態に板ガラス製の外仕切３と内仕切４とを互いに沿う状態に配置して壁部Ｗを構成してある建物壁構造において、内仕切４は、複数枚の板ガラスＧ２，Ｇ３を間隔を明けて配置した複層ガラス６で構成してあり、複層ガラス６の各板ガラスＧ２，Ｇ３の内の連通空間Ｖ側に配置してある板ガラスＧ２は、連通空間側とは反対側の面に、低放射性の層を一体的に設けた低放射率ガラスとして形成してある。【選択図】        図２
2005016168.tif 000002
【特許請求の範囲】
【請求項１】
上下階にわたって連通する連通空間を挟む状態に板ガラス製の外仕切と内仕切とを互いに沿う状態に配置して壁部を構成してある建物壁構造であって、
前記内仕切は、複数枚の板ガラスを間隔を明けて配置した複層ガラスで構成してあり、前記複層ガラスの各板ガラスの内の前記連通空間側に配置してある板ガラスは、前記連通空間側とは反対側の面に、低放射性の層を一体的に設けた低放射率ガラスとして形成してある建物壁構造。
【請求項２】
前記複層ガラスの各板ガラスの内の前記連通空間側とは反対側に配置してある板ガラスに、飛散防止用フィルムが貼着してある請求項１に記載の建物壁構造。
【発明の詳細な説明】
【０００１】
【発明の属する技術分野】
本発明は、例えば、建物外壁部を二重のガラス壁で構成して、両ガラス壁間の空間を上下階にわたって連通させて、その連通空間の換気や対流による作用で室内側の空調負荷の軽減を図れるようにした所謂「ダブルスキン構造」と言われる建物壁構造に関し、更に詳しく説明すると、上下階にわたって連通する連通空間を挟む状態に板ガラス製の外仕切と内仕切とを互いに沿う状態に配置して壁部を構成してある建物壁構造に関する。
【０００２】
【従来の技術】
従来、この種の建物壁構造としては、前記外仕切、及び、内仕切は、単板の板ガラスで構成してあった（例えば、特許文献１参照）。
【０００３】
【特許文献１】
特公昭６３−４５０２１号公報（図面）
【０００４】
【発明が解決しようとする課題】
上述した従来の建物壁構造によれば、ある階層で火災が起きると、前記各仕切の板ガラスを破って室内から火炎が吹き出し、その火炎が両仕切間の前記連通空間を伝って上方へ廻る危険性があり、そうなると前記連通空間の煙突作用によって火の廻りが早くなり、一枚の壁部で形成した窓より過酷な状態におかれる虞がある。
即ち、下階での火炎は、連通空間を伝って上階に廻り、上階の内仕切を破って室内に広がる形態で延焼し易くなると言う問題点がある。
【０００５】
この様な問題点を解消するには、まず第一案として、図６（イ）に示すように、前記連通空間を、各階層毎に遮る遮蔽部２０を形成して、火炎が上階に廻り難くすることが考えられる。
しかしながら、この案によれば、前記二重のガラス壁間の空間が上下階にわたって連通していることによる効果（空調負荷軽減効果）が発揮され難くなる欠点がある。
【０００６】
また、前記問題点を解消する第二案としては、防火性に富んでいることで知られている「網入りガラス」を内仕切として用いることが考えられる。
この案によれば、ガラス内に埋め込まれた金属網が目立ち易く、美観性が低下し易い欠点がある。
【０００７】
また、前記問題点を解消する第三案としては、図６（ロ）に示すように、上階との境目に、前記連通空間Ｖ内に突出する庇２１を設けて火炎の廻り込みを抑制し易くすることが考えられる。
しかし、この第三案に関しては、前記連通空間Ｖの幅寸法を、前記庇２１の突出寸法に相当する寸法を余分に確保する必要があり、建物外壁部の幅寸法が増大するに伴って、室内側の建物床面積が低下する欠点がある。
【０００８】
従って、本発明の目的は、空調負荷軽減作用や、美観性低下の防止作用や、連通空間を幅狭にできると言った各作用を叶えながら、火災が上階層へ延焼し難くできるを提供するところにある。
【０００９】
【課題を解決するための手段】
請求項１の発明の特徴構成は、上下階にわたって連通する連通空間を挟む状態に板ガラス製の外仕切と内仕切とを互いに沿う状態に配置して壁部を構成してある建物壁構造において、前記内仕切は、複数枚の板ガラスを間隔を明けて配置した複層ガラスで構成してあり、前記複層ガラスの各板ガラスの内の前記連通空間側に配置してある板ガラスは、前記連通空間側とは反対側の面に、低放射性の層を一体的に設けた低放射率ガラスとして形成してあるところにある。
【００１０】
請求項１の発明の特徴構成によれば、例えば火災に伴って前記連通空間に火炎が入り込んだ場合、連通空間に面する前記外仕切の板ガラスと、内仕切の複層ガラスとは、同様の加熱環境に曝される訳であるが、前記複層ガラスの各板ガラスの内の前記連通空間側に配置してある板ガラスは、低放射率ガラスとして形成してあるから、高温に加熱されたその板ガラスの熱は放射し難く、結果的には、複層ガラスの各板ガラスの内の室内側に配置してある板ガラスに対する火炎の熱影響を伝達し難くすることが可能となる。
従って、低放射率ガラスが熱破壊するまでの間は、室内側の板ガラスの温度上昇を抑制でき、より長く室内側の板ガラスを残しておくことが可能となる。そして、外仕切より長く内仕切を残しておけることで、火炎が室内に廻り難くでき、延焼防止効果を発揮することが可能となる。
更には、火災時に限らず、前記低放射率ガラスによって太陽光による室内側の温度上昇を抑制することができることに加えて、前記複層ガラスを使用していることによる内仕切の断熱効果を向上させることができ、より室内空調負荷の軽減を図ることが可能となる。
また、低放射性の層に他物が当たって傷付けたりすることを防止し易く、低放射性層の耐久性を向上させることが可能となる。
即ち、連通空間に面する部分は、例えば、点検等で人や道具が接触する危険性がある他、室内に面する部分は、やはり清掃等で人や道具が接触する危険性があり、それに伴って傷付きや、剥がれたりする危険性が高い。それに比べて、複層ガラスの内面は他物が当たって傷付けると言ったことが防止できる。
【００１１】
請求項２の発明の特徴構成は、前記複層ガラスの各板ガラスの内の前記連通空間側とは反対側に配置してある板ガラスに、飛散防止用フィルムが貼着してあるところにある。
【００１２】
請求項２の発明の特徴構成によれば、請求項１の発明による作用効果を叶えることができるのに加えて、前記飛散防止用フィルムによって、内仕切の板ガラスを、少しでも長く残しておくことができ、より強力に延焼防止を図ることが可能となる。
【００１３】
【発明の実施の形態】
以下に本発明の実施の形態を図面に基づいて説明する。尚、図面において従来例と同一の符号で表示した部分は、同一又は相当の部分を示している。
【００１４】
図１、図２は、本発明の建物壁構造の一実施形態を示すもので、複数階層の要部のみを記載してある。
【００１５】
建物Ｂは、各階層に対応した梁１、及び、スラブ２を複数設けて構成されている。
そして、外壁部（壁部に相当）Ｗは、外仕切３と内仕切４との二重締め切り構造（所謂「ダブルスキン構造」）に形成してある。両仕切３、４の間は、上下階にわたって連通する連通空間Ｖとして確保されている。尚、連通空間Ｖでの各階層の境部分には、グレーチングｆが設けてあり、連通空間の空気の移動は許容しながら、例えば、点検時にはこのグレーチングｆ上を人が歩くことができる。
【００１６】
前記外仕切３は、サッシＳ１に単板の板ガラス（以後、第一ガラスという）Ｇ１を嵌め込んで形成してある（図２参照）。この板ガラスＧ１は、透明のフロート板ガラスで構成されている。
【００１７】
前記内仕切４は、サッシＳ２に耐火パネル５や、複層ガラス６を嵌め込んで形成してある。
前記耐火パネル５は、前記スラブ２の高さ位置から下方へ、梁１下端部までの範囲に位置する状態に設けてあり、前記スラブ２、梁１を外方から目隠ししている。
前記複層ガラス６は、前記耐火パネル５から下方のスラブ２までの窓部分に位置する状態に設けてあり、外壁部Ｗでの広い視界を確保している。
前記複層ガラス６を説明すると、図３に示すように、二枚の板ガラスを間隔を明けて配置して形成されており、透明ガラスとして構成されている。両板ガラス間の空間７は、外周部のシール８によって密閉されており、乾燥空気が封入されている。
この複層ガラス６を構成する二枚の板ガラスの内、前記連通空間Ｖ側の板ガラス（以後、第二ガラスという）Ｇ２は、室内側に暴露する面の全面に金属（例えば、銀）薄膜（低放射性の層に相当）９を一体的に設けて構成した低放射率ガラス（所謂「Ｌｏｗ−Ｅガラス」）である。
一方、室内側の板ガラス（以後、第三ガラスという）Ｇ３は、室内側の面の全面に合成樹脂製の飛散防止用フィルム１０を貼着してある。この飛散防止用フィルム１０の一例を示すと、ガラス面に近い方から、水溶性オーバーコート層、特殊感圧型粘着材層、薄膜積層ポリエステルフィルム層、耐摩耗性ハードコート層を一体的に積層したものが挙げられる。
【００１８】
本実施形態の建物壁構造によれば、図４に示すように、下階で火災が発生し、外壁部Ｗを破って火炎が吹き上げた状態においては、前記連通空間Ｖを通して上階に火炎が廻るが、その際の熱破壊は、直接的に火炎に曝されている前記第一ガラスＧ１、及び、第二ガラスＧ２から始まり、室内側の第三ガラスＧ３に関しては、より長い間その姿を留めることが可能となる。これは、前記第二ガラスＧ２の金属薄膜９によって、火炎の熱が第三ガラスＧ３に伝わるのを抑制し、第三ガラスＧ３の温度上昇を遅らせることができるところに起因する。更には、加熱が進み、第三ガラスＧ３にもクラック等が発生したにしても、前記飛散防止用フィルム１０によって崩落するのを防止でき、火炎が室内に入り込んで延焼するまでの時間を遅延させることができる。従って、人の避難時間を少しでも長く確保することができ、防災性の高い建物とすることが実現している。
【００１９】
〔実施例〕
上述のように、外壁部Ｗが火炎に曝された際の各板ガラスの状態変化について、実験を行った。
【００２０】
１）実験方法
壁炉に試験体を二枚（外仕切に用いる第一板ガラスＧ１と、内仕切に用いる複層ガラス６）並べて設置し、三通りの加熱条件で両試験体を加熱し、その際の各ガラスの「ひび割れ状況」と、「温度状況」とを調べた。
【００２１】
２）試験体
何れの試験体も、加熱面の幅１３３３ｍｍ、加熱面の高さ２６００ｍｍとしてセットした。
第一板ガラスＧ１は、厚み１２ｍｍのフロートガラス。
複層ガラス６は、加熱面側に第二板ガラスＧ２、非加熱面側に第三板ガラスＧ３が一体的に配置してあり、何れの板ガラスも厚み６ｍｍのフロートガラスで構成してある。両板ガラス間の隙間寸法は６ｍｍである。また、第二板ガラスＧ２の非加熱面に金属蒸着による薄膜９が設けてあり、第三板ガラスＧ３の非加熱面に、飛散防止用フィルム１０が設けてある。
３）加熱条件
Ｃａｓｅ−１
ＩＳＯ８３４の標準加熱曲線の（１／２．５）倍
Ｔ＝１３８×ｌｏｇ１０（８・ｔ＋１）＋２０
但し、Ｔは、壁炉内の温度（℃）であり、ｔは、加熱時間（分）である。
Ｃａｓｅ−２
ＩＳＯ８３４の標準加熱曲線
Ｔ＝３４５×ｌｏｇ１０（８・ｔ＋１）＋２０
Ｃａｓｅ−３
ＩＳＯ８３４の標準加熱曲線の二倍
Ｔ＝３４５×ｌｏｇ１０（４・ｔ＋１）＋２０
４）計測・観察
ひび割れは目視にて観察した。
ガラスの非加熱面の温度は、サーモカメラにて測定した。
５）実験結果
ガラスのひび割れの順序は、Ｃａｓｅ−１〜３の何れも、
第二板ガラスＧ２〜第一板ガラスＧ１〜第三板ガラスＧ３の順であった。
両板ガラスの非加熱面の温度は、図５に示す通りであった。
以上のように、複層ガラス６の第三板ガラスＧ３は、他の板ガラスより長い間その姿を留めることができるのが解る。
【００２２】
〔別実施形態〕
以下に他の実施の形態を説明する。
【００２３】
〈１〉  前記内仕切を構成する複層ガラス６は、先の実施形態で説明した二枚の板ガラスのみによる構成に限るものではなく、例えば、３枚以上の板ガラスを備えた構成であってもよい。また、板ガラス間の空間は、空気を封入してあるものに限らず、例えば、不活性ガスを封入してあるものであってもよい。更には、スペーサを介して板ガラスを並設した状態で空間を減圧してあるものであってもよい。要するに、複数枚の板ガラスを間隔を明けて配置して構成してあればよく、それらを総称して複層ガラスという。
また、３枚以上の板ガラスを備えた複層ガラスの場合、前記低放射率ガラスは、最も室内側に配置される板ガラス以外の板ガラスであれば、何れのものであってもよく、要するに、前記複層ガラスの各板ガラスの内の、最も室内側の板ガラスより連通空間Ｖ側に配置してある板ガラスであればよい。但し、延焼防止効果を優先させれば、最も連通空間Ｖ側に配置してある板ガラスを低放射率ガラスで構成してあることが好ましい。
〈２〉  前記低放射率ガラスは、先の実施形態で説明した金属薄膜９を設けて構成するものに限らず、板ガラスの本体に予め放射率を低下させる材料を混在させておいて製造するものであってもよい。また、金属薄膜９を設ける場合であっても、複層ガラスの空間７側に面する面に金属薄膜層を形成するものに限らず、逆面に形成してあってもよい。この場合、ハードコーティングによって金属薄膜層を形成するのが好ましい。
〈３〉  前記飛散防止用フィルム１０は、先の実施形態で説明した四層構造のものに限るものではなく、他の材料を使用したものや、層の数を異ならせて構成してあるものであってもよい。
【００２４】
尚、上述のように、図面との対照を便利にするために符号を記したが、該記入により本発明は添付図面の構成に限定されるものではない。
【図面の簡単な説明】
【図１】建物の要部を示す断面図
【図２】外壁部を示す断面図
【図３】複層ガラスを示す断面図
【図４】火災に伴う外壁部の変化を示す概念断面図
【図５】実験結果を示す図
【図６】従来技術から考えられる建物壁構造を示す断面図
【符号の説明】
３      外仕切
４      内仕切
６      複層ガラス
９      低放射性の層（金属薄膜）
１０    飛散防止用フィルム
Ｇ１    板ガラス（第一ガラス）
Ｇ２    板ガラス（第二ガラス）
Ｇ３    板ガラス（第三ガラス）
Ｖ      連通空間
Ｗ      外壁部（壁部に相当）
【図１】
2005016168.tif 000003
【図２】
2005016168.tif 000004
【図３】
2005016168.tif 000005
【図４】
2005016168.tif 000006
【図５】
2005016168.tif 000007
【図６】
2005016168.tif 000008